(57)【要約】      （修正有）【課題】残留塩素と同時に有害菌を死滅させるＬ−アスコルビン酸を選び出し、其の特徴の組み合わせた加工技術により、最大の効果が発揮できる残留塩素除染剤を提供する。【解決手段】Ｌ−アスコルビン酸１は水溶性で水に早く溶ける為、残留塩素の除染力を弱アルカリ系から少しづつ固体化２し、アルカリ素材に移行させて、最後に外面を特にアルカリ固形状仕上げ３とし、水溶性の溶出を止めて更に不織布４で包んだことを特徴とする。【選択図】図１
0003189914.tif 000002
【実用新案登録請求の範囲】
【請求項１】
残留塩素や塩素酸の除染を目的とする、物品の構造は、Ｌ−アスコルビン酸で抗酸化力を持つ、固形剤は、弱アルカリ系と強アルカリ系、三種類混合の固形球状とする、外側を不織布で包むと水中で形が崩れずに脱塩素水に変わることを特徴とする、三種類組み合わせた物品。
【請求項２】
請求項１記載の脱塩素能力向上の為、物品の構造は、純銅の微細断で脱塩素の複合力を増す、形状は微細断銅繊維の柔らかい単体球状とする、繊維保護の為不織布で包むことを特徴とする、請求項１記載の三種類組み合わせた物品。
【請求項３】
請求項１記載の物品、請求項２記載の脱塩素後、有害菌を死滅する物品の構造は、銅の殺菌力と、銀入りセラミックスの複合力で死滅する、形状は、銀混入セラミックスペレット単体を不織布袋で包み混入すると安心な飲料水になることを特徴とする、請求項１記載の三種類組み合わせた物品。
【請求項４】
請求項１記載の物品粉体一式の構造を糊状にして、不織布、木綿生地に塗布すると、脱塩素、抗酸化力を堅持する、形状は、生地の原寸通り、水分の必要な場合木綿生地の保湿力を特徴とする、請求項１記載の三種類組み合わせた物品。
【請求項５】
請求項４記載の塗布生地の構造を、野菜の脱塩素用とする、形状は野菜に合わせて裁断しそのまま不織布に包み冷蔵庫に保管すると、脱塩素とビタミンＣの残存率が頗る多く残ることを特徴とする、請求項１記載の三種類組み合わせた物品。
【請求項６】
請求項４記載の塗布生地の構造を、空気清浄機に使う、徴微細な誇りを取り除くには、湿度を保つ木綿フィルターの機能が適する、形状は、常時中和水を送り込むようにして、中心に木綿生地、外側に不織布で挟むと除菌も併用できることを特徴とする、請求項１記載の三種類組み合わせた物品。
【請求項７】
請求項４記載の塗布生地で、環境保全用の敷きパットの製作、構造は請求項１記載の総合物品と請求項３記載の殺菌能力で、肌の清潔感を出す、形状は、Ｌ−アスコルビン酸生地が肌に必要成分補給させる、木綿生地は人の汗も吸収する敷きパットの特徴を有する、請求項１記載の三種類組み合わせた物品。
【考案の詳細な説明】
【考案の詳細な説明】
【技術分野】
【０００１】    残留塩素や塩素酸は飲用する時点では人の健康障害の為取り除かなくては成らない、残留塩素除去は食品添加物のビタミンＣを主体とする、組み合わせ混合の結果、水溶性Ｌ−アスコルビン酸が水中で溶け出さない考案が解明された、弱酸性のＬ−アスコルビン酸と弱アルカリ系、強アルカリ系の配合により混合固体化球状が水中で形が崩れないことが判明。
【背景技術】
【０００２】    従来、現在も残留塩素の除染に活性炭を使い、活性炭に残留塩素を吸着させて取り除かれる、その後素早く有害菌の繁殖が考えられる、そして、活性炭交換前には沢山の有害菌の集まり状態と成る。
【考案の開示】
【考案が解決しようとする課題】
【０００３】    塩素の必要性は周知の通りである、大事な塩素が人々の生活上健康障害を起こす恐れが在り、取り除かなくては成らない、除染方法は幾つかの方法が使われているが、使用中に有害菌の集まりになるなど残留物の付着を避けることが望ましい。
【課題を解決するための手段】
【０００４】    本考案は残留塩素と同時に有害菌を死滅させる考案である、其の特徴は数多くのビタミンＣ群の中より選び出したこと、更に自然物に近いＬ−アスコルビン酸の特徴を掴み固体化を基本として三物質の組み合わせにある、より以上に効果を出す複合力により完全に脱塩素、殺菌力をまして安全な物品形状を作り出した構造が幅広く使い道拡大が今後の課題とする。
【考案の効果】
【０００５】    本考案の特徴は、請求項１記載より順序通りに従い請求項７記載まで的確な流れに従うことが出来る考案である。
【考案を実施するための最良形態】
【０００６】    本考案は、残留塩素の除染と有害菌の殺菌を同時に行う為に塩素の除染にＬ−アスコルビン酸の複合力として微細断銅を取り入れたこと、有害菌の死滅に微細断銅の殺菌力と銀入りセラミックスを使い安全で尚その効果が盛大であること。
【実施例】
【０００７】    請求項１記載に示す通り、水道水や野菜消毒に塩素殺菌は必要な薬剤である、しかし、飲用時点では人の健康弊害の為に除染が必要、其の物品は、抗酸化力を持つＬ−アスコルビン酸が好ましい、理由は塩素が酸化すると塩素酸に変わり有害能力が高まる、また、Ｌ−アスコルビン酸が塩素酸に触れると一瞬にして消えていく、この場合抗酸化力を持つ物質が長い間脱塩素能力が持続する。【０００８】    そして、Ｌ−アスコルビン酸は水溶性の為、水中に良く溶けるそれを溶けない加工方法を選び出した、最初にＬ−アスコルビン酸の酸性度に合わせて弱アルカリ系と混合し段々とアルカリ系の強い材料で固体化す、形状は円形球状とし乾燥後は水中でビタミンＣの溶出後も形が崩れない更に外側を不識布で包む、請求項１記載の三種類組み合わせた物品になる。【０００９】    請求項２記載に示す通り、脱塩素能力向上の為、物品の構造は、純銅を微細断し銅が持つ脱塩素能力と、Ｌ−アスコルビン酸の脱塩素能力を複合し安全で尚残留塩素を完全に取り除く、形状は微細断銅を柔らかく球状にして外側を不識布で包み銅繊維単体球状とする、請求項１記載の三種類組み合わせた物品とする。【００１０】    請求項３記載に示す通り、請求項２記載の脱塩素後に、有害菌を死滅させる物品の構造は、微細断銅の殺菌力と銀入りセラミックスの殺菌力の複合力を持って完全に有害菌を死滅させる、請求項１記載の三種類組み合わせた物品。【００１１】    請求項４記載に示す通り、請求項１記載の物品粉体一式を糊状にして、不織布、木綿生地に塗布すると脱塩素と抗酸化力を堅持する、形状は主に生地の幅はヤール幅が基本で特注でダブル幅にも塗布する、水分の必要性もとめる場合は木綿生地の保湿力を使うなどの工夫を必要とする、請求項１記載の三種類組み合わせた物品。【００１２】    請求項５記載に示す通り、請求項４記載の塗布生地の構造は、野菜などを生地に包み冷蔵庫などで保存すると、一例として請求項１記載の天然物に近いＬ−アスコルビン酸が脱塩素完了と野菜に自然補給して、長期間野菜のビタミンＣが頗る多く保存されることが特徴とされる、請求項１記載の三種類組み合わせた物品とする。【００１３】    請求項６記載に示す通り、請求項４記載の塗布生地の構造を空気清浄機のフィルターに使う、微々細な誇りを取り除くには、湿度を保つ木綿生地フィルターの機能が適している、形状は、常時必要量に応じて水分補給できる状態に設置する、水分は本考案の飲料水を使うと水質が小さく部屋などの誇り凝集に適している、請求項１記載の三種類組み合わせた物品。【００１４】    請求項７記載に示す通り、請求項４記載の塗布生地を環境保全用の敷きパットの製作に移る、構造は請求項１記載の総合物品と請求項３記載の殺菌能力で、肌の清潔感を出す、形状は、Ｌ−アスコルビン酸生地が肌に必要な成分を補給させる、そして、木綿生地は人の汗も吸収することを特徴とする、請求項１記載の三種類組み合わせた物品。
【図面の簡単な説明】
【００１５】
【図１】  考案は、塩素酸除染にＬ−アスコルビン酸、弱アルカリ物質、強アルカリ物質、三種類の混合球状、微細断銅球状、銀入りセラミックス球状、粉体塗布生地、木綿塗布生地、空気清浄機のフィルター一式、敷きパット。
【符号の説明】
【００１６】１〜中心、Ｌ−アスコルビン酸
２〜弱アルカリ系、物質
３〜強アルカリ系、物質
４〜不織布
５〜微細断銅
６〜不織布
７〜銀入りセラミックス
８〜不織布
【図１】
0003189914.tif 000003
【図２】
0003189914.tif 000004
【図３】
0003189914.tif 000005
【手続補正書】
【提出日】平成25年9月20日(2013.9.20)
【手続補正１】
【補正対象書類名】実用新案登録請求の範囲
【補正対象項目名】全文
【補正方法】変更
【補正の内容】
【実用新案登録請求の範囲】
【請求項１】
Ｌ−アスコルビン酸を、弱アルカリ系とアルカリの固形化剤で固形状とし、外側を不織布で包んだ残留塩素除染剤。
【請求項２】
請求項１記載の残留塩素除染能力向上の為、銅の薄板を微裁断にし、外側を不織布で包み複合力を特徴とする、請求項１記載の残留塩素除染剤。
【請求項３】
請求項１記載の残留塩素除染剤使用後、有害菌抑制の為微細断銅の殺菌力と銀入りセラミックスの複合力を特徴とする、請求項１記載の残留塩素除染剤。
【請求項４】
請求項１記載の残留塩素除染剤の固形化剤を糊状にし、不織布に塗布し、米の貯蔵用袋にすると抗酸化力の向上を特徴とする、請求項１記載の残留塩素除染剤。
【請求項５】
請求項１記載の残留塩素除染剤の固形化糊を野菜保管用生地に塗布し、冷蔵庫に保管すると、脱塩素、ビタミンＣ残在率向上の特徴、請求項１記載の残留塩素除染剤。
【請求項６】
請求項１記載の残留塩素除染剤の固形化糊を生地に塗布して空気清浄機に使う、湿度を保ち微細な誇りも付着する特徴、請求項１記載の残留塩素除染剤。
【請求項７】
請求項１記載の残留塩素除染剤の固形化糊を環境保全用敷きパットの生地に塗布すると、殺菌能力アップ、汗の吸収、肌の清潔感を出す素材の特徴、請求項１記載の残留塩素除染剤。
【手続補正２】
【補正対象書類名】明細書
【補正対象項目名】全文
【補正方法】変更
【補正の内容】
【考案の詳細な説明】
【考案の詳細な説明】
【技術分野】
【０００１】      残留塩素の除染作業は大変な作業である、現在の環境化では、水道局の塩素消毒の為に我々人々も其の恩恵の下にある、其の水道局の恩恵を忘れては成らない。【０００２】      しかし、現在の環境下では、水道水基準値は塩素酸及び亜塩素酸は、浄水過程で消毒剤として使用される二酸化塩素と共に毒性評価が厳しい為に水道法も改正されて５１項目の検査となりました。
【背景技術】
【０００３】      従来も、現在も残留塩素の除染に活性炭を使い、活性炭に吸着させている、しかし、其の吸着させた残留物に有害菌がすばやく発生する。
【考案の開示】
【考案が解決しようとする課題】
【０００４】      塩素の必要性は周知の通り、大事な塩素が人々が食する時点では、毒性評価が誓定的である為に、水道法で１項目追加される結果と成っている。
【課題を解決する為の手段】
【０００５】      本考案は、残留塩素と同時に有害菌を死滅させる、其の特徴は、Ｌ−アスコルビン酸を選び出し、其の特徴の組み合わせた加工技術により、最大の効果が発揮できたことにある。
【考案の効果】
【０００６】      本考案の特徴は請求項１記載より順序通りに従い、請求項７記載まで的確な流れに従うことが出来る考案である。
【考案を実施するための最良形態】
【０００７】      本考案は、残留塩素の除染と有害菌の殺菌を同時に行う為に、Ｌ−アスコルビン酸の複合力と微細断銅、銀入りセラミックスの同時複合殺菌によるものである。
【実施例】
【０００８】      請求項１記載に示す通り、Ｌ−アスコルビン酸は水溶性で水に早く溶ける為、残留塩素の除染力を弱アルカリ系から少しづつ固体化し、アルカリ素材に移行させて、最後に外面を特にアルカリ固形状仕上げとし、水溶性の溶出を止めて更に不織布で包んだことを特徴とする、請求項１記載の残留塩素除染剤。【０００９】      請求項１記載に示す通り、請求項２記載内容は、脱塩素能力向上の為に、純銅を微細断にし、柔らかい単体形状とし、外側を不織布で包みＬ−アスコルビン酸との複合力で素早く除染機能を発揮する特徴を有する、請求項１記載の残留塩素除染剤。【００１０】      請求項１に示す通り、請求項３記載内容は、脱塩素完了後は素早く有害菌の発生が起きる、そこで、微細断銅の殺菌力と銀入りセラミックスの殺菌力との、複合力向上で素早く、完全に殺菌することが出来る特徴を有する、請求項１記載の残留塩素除染剤。【００１１】      請求項１記載に示す通り、請求項４記載内容は、Ｌ−アスコルビン酸、弱アルカリ系の固形化剤を糊状にし、不織布に塗布し、米の貯蔵用袋にすると米糠臭の除染、抗酸化力向上を特徴する、請求項１記載の残留塩素除染剤。【００１２】      請求項１記載に示す通り、請求項５記載内容は、固形化剤を糊状にして、野菜の保管用の生地に塗布し、冷蔵庫に保管すると、脱塩素、ビタミンＣの残在率が頗る多く残る特徴を有する、請求項１記載の残留塩素除染剤。【０００１３】      請求項１記載に示す通り、請求項６記載内容は、固形化剤糊を不織布、木綿生地に塗布して空気清浄機に使う、湿度を保ち、更に微細なほこりも付着させる特徴、請求項１記載の残留塩素除染剤。【００１４】      請求項１記載に示す通り、請求項７記載内容は、固形化剤糊を環境保全パットの生地に塗布すると、殺菌能力アップ、汗の吸収、肌の清潔感を出す特徴を発揮する、請求項１記載の残留塩素除染剤。
【図面の簡単な説明】
【００１５】
【図１】  図１は、請求項１記載の、Ｌ−アスコルビン酸残留塩素除染剤を弱アルカリ系の固形化剤とアルカリ系固形状仕上げ剤、外側を不織布で包んだ、請求項１記載の残留塩素除染剤の図、
【図２】  図２は、請求項２記載の複合力の為、Ｌ−アスコルビン酸と微細断銅を柔らかく球状にし、外側を不織布で包んだ、請求項１  記載の残留塩素除染剤の図、
【図３】  図３は、請求項３記載の有害菌を微細断銅殺菌力と銀入りセラミックスの複合力単体とし外側を不織布で包んだ、請求項１記載の残留塩素除染剤。
【手続補正３】
【補正対象書類名】図面
【補正対象項目名】全図
【補正方法】変更
【補正の内容】
【図１】
0003189914.tif 000006
【図２】
0003189914.tif 000007
【図３】
0003189914.tif 000008
【手続補正書】
【提出日】平成25年12月27日(2013.12.27)
【手続補正１】
【補正対象書類名】実用新案登録請求の範囲
【補正対象項目名】全文
【補正方法】変更
【補正の内容】
【実用新案登録請求の範囲】
【請求項１】
Ｌ−アスコルビン酸を、弱アルカリ系とアルカリの固形化剤で固形状とし、外側を不織布で包んだ残留塩素除染剤。
【請求項２】
残留塩素除染能力向上の為、微細断銅繊維と、前記Ｌ−アスコルビン酸とを前記不織布で包んだことを特徴とする請求項１記載の残留塩素除染剤。
【請求項３】
銀混入セラミックスペレットと、前記微細断銅繊維とを、前記不織布で包んだことを特徴とする、請求項２記載の残留塩素除染剤。
【請求項４】
Ｌ−アスコルビン酸を、弱アルカリ系とアルカリの固形化剤で糊状とし、米の貯蔵用袋とした不織布または木綿生地に塗布したことを特徴とする残留塩素除染剤。
【請求項５】
Ｌ−アスコルビン酸を、弱アルカリ系とアルカリの固形化剤で糊状とし、野菜保管用生地として用いる不織布に塗布したことを特徴とする残留塩素除染剤。
【請求項６】
Ｌ−アスコルビン酸を、弱アルカリ系とアルカリの固形化剤で糊状とし、空気洗浄機のフィルタ−として用いる生地に塗布したことを特徴とする残留塩素除染剤。
【請求項７】
Ｌ−アスコルビン酸を、弱アルカリ系とアルカリの固形化剤で糊状とし、環境保全用敷きパットの生地に塗布したことを特徴とする残留塩素除染剤。
【手続補正２】
【補正対象書類名】明細書
【補正対象項目名】全文
【補正方法】変更
【補正の内容】
【考案の詳細な説明】
【考案の詳細な説明】
【技術分野】
【０００１】  我が国では戦後水道水の消毒の為に塩素注入が始まった、其のお陰で現在も日本国の水道水は安全な水として世界的有名である。【０００２】  しかし、水道法では飲料水にする時点で塩素酸を取り除かなくては成らない、いわゆる毒性が強い関係上、現在では水道法も改正され、一項目追加されて検査項目となっている。
【背景技術】
【０００３】  従来も、現在も残留塩素の除染に活性炭を使い、活性炭に吸着させている、しかし、其の吸着させた残留物に有害菌が素早く発生する。
【考案の開示】
【考案が解決しようとする課題】
【０００４】  塩素の必要性は周知の通り、其の大事な塩素が人々の生活上健康障害を起こす恐れがあり、取り除かなくては成らない、除染方法は幾つかの方法が使われているが、使用中に有害菌の集まりになるなど残留物の付着を避けなければ成らない。
【課題を解決する為の手段】
【０００５】  本考案は、残留塩素の消滅と同時に有害菌も死滅させる考案である、其の特徴は数多くのビタミンＣの中より選び出したこと、更に天然物は不安定で有ることなどを基本に水溶性で体内に残留しない、Ｌ−アスコルビン酸の特徴を掴み固体化に成る物品の組み合わせに多大な時間とそれに懸かる精神統一により水中でＬ−アスコルビン酸が長時間其の形が崩れること無く残留塩素除染水が作れることの考案を試みた。
【考案の効果】
【０００６】  本考案の特徴は、請求項１記載内容のＬ−アスコルビン酸の固形化を基本とし、順序通りに従い請求項７記載まで的確に流れに従うことの出来る考案である。
【考案を実施するための最良形態】
【０００７】  本考案は、飲料水や飲食物の残留塩素除染と除染後に起きる有害菌の死滅を同時に行う、其の基本はＬ−アスコルビン酸の固形化剤が瞬間的に脱塩素等除染効力と効果を発揮することにある。
【０００８】  また、飲食水が綺麗に保たれる原因は、微細断銅繊維に対して、Ｌ−アスコルビン酸が絶えず汚れを着かせないこと、銀入りセラミックスも同様、更に容器内も綺麗な飲料水を造る特別な固形化剤となる、請求項１記載の残留塩素除染剤。
【実施例】
【０００９】  請求項１記載に示す通り、Ｌ−アスコルビン酸を、弱アルカリ系とアルカリの固形化剤で固形状とし、外側を不織布で包んだことにある、その目的は、人々が毎日食する飲食物、飲料水の残留塩素除染が目的である、除染する物品の形状を作る工夫として、弱アルカリ系やアルカリの固形化剤にカルシウムの含有入りのお陰で水溶性にも関わらず水中で長期間解けること無くＬ−アスコルビン酸の物品形状が維持される考案である、残留塩素除染剤。【００１０】  Ｌ−アスコルビン酸には、強力な抗酸化力と多数な栄養成分が含まれている、更に他の物質に見られない還元力を有している、例、水中で野菜などに含まれる三化鉄を二化鉄に還元する、又銅は、Ｌ−アスコルビン酸の還元力により長期間綺麗に維持される、また、本物品を使用する容器の汚れを落とし長期間綺麗さを保つことが出来る残留塩素除染剤。【００１１】  Ｌ−アスコルビン酸を通常酸化剤として使う事は禁じる、ビタミンＣの破壊により水中で還元能力を失うことを前提に作業が必要である、いわゆる水に短時間付けて直ぐに引き上げる工夫により素晴らしい還元力が堅持される残留塩素除染剤。【００１２】  還元力を維持する為に、それぞれが持続構造の組み換えが必要である、Ｌ−アスコルビン酸は弱酸性で其れを基本に弱アルカリ系、アルカリの物品を仮焼成しアルカリ成分を和らげ接触させると化学反応が起きない工夫を凝らした形状の残留塩素洗剤。【００１３】  Ｌ−アスコルビン酸の弱酸性度を調べる、次に組み合わせる物品の、弱アルカリ度を調べる、更に外側に位置する、アルカリの度合いも調べて化学反応を避ける念の為（歯医者の加工技術を参考）更に弱アルカリ系やアルカリにカルシウムが含有して入る物品を使うと、早く硬く固形し水中でその形状が崩れない、残留塩素除染剤。【００１４】  本考案の基本である，Ｌ−アスコルビン酸の組み合わせた構造について最大に思考を凝らす点は、Ｌ−アスコルビン酸が一番嫌いな物質は、水と空気である、其の水と空気が混入しない、構造を組む為に、請求項１記載に示した通り外側を包む不織布は水と空気が通らない様に加工した残留塩素除染剤。【００１５】  Ｌ−アスコルビン酸の必要量に合った孔を不織布に空ける、その様な基本によって容器内に余分な空気と水が入ること無く水中でＬ−アスコルビン酸の使用済み後までも形状が崩れることが無い、また、形状は上記内容を良く理解した上であれば形状の変更も出来ることを特徴とする、残留塩素除染剤。【００１６】  Ｌ−アスコルビン酸の残留塩素除染剤として組み合わせ時点で、請求項１記載通りに設置する、そして、溶存酸素濃度が極めて低い水を容器内がぬれる程度に入れて暫らく放置する、と請求項１記載通り固形化剤になる、形状が更に硬く成る様に乾燥庫にいれて、低温で２４時間乾燥する、請求項１記載の残留塩素除染剤。【００１７】  請求項２記載に示す通り、残留塩素除染能力向上の為、微細断銅繊維と前記Ｌ−アスコルビン酸を、前記不織布で包んだことの特徴により、銅繊維単体では塩素酸等の酸化物により黒錆となり毒性に変わることも有る、それらの酸化物変化をこの考案により全て取り除かれ有益な飲料水に成る特徴、請求項１記載の残留塩素除染剤。【００１８】  ���た、酸化力によると、劇物に変わることもある、そこで、銅イオンを増す為に銅の性能を選ぶことに繋がる、銅は無酸素で純度の高い物を選ぶ、更に薄板を微細断繊維に切る、其の切り口より強力な銅イオンの放出が始まる、元々銅単体で残留塩素を分解する能力は持っている、しかし、銅単体は水中で黒錆の恐れ有り、Ｌ−アスコルビン酸の必要性を求められる、請求項１記載の残留塩素除染剤。【００１９】  今回の考案でＬ−アスコルビン酸との組み合わせにより銅イオンの還元力が素晴らしい構造に生まれる、更にＬ−アスコルビン酸は還元剤として使われることは合っても通常酸化剤としては無理であるがこの組み合わせによりＬ−アスコルビン酸の還元力も増し長期間維持する、銅に置いても組み合わせにより銅の黒錆酸化の心配は一切無く、請求項１記載通りの残留塩素除染剤。【００２０】  請求項３記載に示す通り、銀入りセラミックスペレットと、微細断銅繊維とを、前記不織布で包んだことの特徴により、飲料用水や食品原料用水の除染後に複雑な有害菌対策に欠かすことが出来ない銀混入セラミックスペレットは微細な有害菌も死滅させる、更に強力な大腸菌も死滅させる特徴を持つ、請求項２記載の残留塩素除染剤。【００２１】  更に銀混入セラミックスペレットは一般に使用すると飲料水や食品原料用水の味を美味しくする、特に大事なことは、使用後の食品原料洗浄用水が下水道に流れて害虫の発生抑制に繋がり環境作りに、請求項２記載内容と請求項３記載内容を不織布で包んで一緒に飲料用水容器に設置したことにある、全ての有害物の発生も無く安心な飲用水として使用できることを特徴とする、請求項２記載の残留塩素除染剤。【００２２】  今回のＬ−アスコルビン酸の構造考案により水中で水溶性にも関わらず、其の構造形状の姿が変わり無く持続することにある、更に使用中にＬ−アスコルビン酸の質量が少なくなると固形状が少し赤見が出てくる、そして、此の考案の主体はＬ−アスコルビン酸にある、請求項１記載内容の構造を生かす為に組み合わせる物品選びに神経を使うこと、そして、請求項２記載内容の充実を図る、次に請求項３記載内容との組み合わせに不織布で包んだこと、などの得点をいかすと、安全、安心な還元力と栄養素の含まれる、飲料水及び食品原料用洗浄水を作り出すことを特徴とする、請求項２記載の残留塩素除染剤。【００２３】  請求項４記載に示す通り、Ｌ−アスコルビン酸を弱アルカリ系とアルカリの固形化剤にカルシウムの含有を糊状とし、米の貯蔵用袋とした不織布または木綿生地に塗布したことを特徴にする、米の貯蔵は米ぬかが取り除かれて一般的にビタミンＢ１多大に減少し御飯の栄養素が欠ける、その欠損分が起きない為に今回の組み合わせた構造が重要視されることを特徴とする、残留塩素除染剤。【００２４】  Ｌ−アスコルビン酸と弱アルカリ系のアルカリの固形化剤にカルシウムの含有を糊状にし、不織布の片面毛の長い方に糊状を吹き付ける、固形化剤を使う理由は化学反応が起きない、硬い生地が出来上がる、更に米の保存用にする為に中側に強い不織布を縫い合わせて米の貯蔵用袋にすると、本考案の持つＬ−アスコルビン酸の還元力が発揮されて現在の環境汚染時に、広く、大きく役立つ米の貯蔵用袋に出来ること���特徴とする、残留塩素除染剤。【００２５】  請求項５記載に示す通り、Ｌ−アスコルビン酸を弱アルカリ系とアルカリの固形化剤で糊状とし、野菜保管用生地として用いる不織布に塗布したことを特徴とすることが目的である、特に一般家庭の冷蔵庫に保管することが望ましい、残留塩素除染剤。【００２６】  Ｌ−アスコルビン酸を請求項１記載通りに組み合わせた固形状を糊状にすると化学反応が起きない素材を塗布すると、Ｌ−アスコルビン酸の持つ抗酸化力と栄養成分補給に役立ち使用者に感動を受ける、残留塩素除染剤。【００２７】  請求項６記載に示す通り、Ｌ−アスコルビン酸を弱アルカリ系とアルカリの固形化剤にカルシウムの含有を糊状とし、空気洗浄機のフィルタ−として用いる生地に塗布したことを特徴とする、一般に部屋内の超微細なほこりは部屋の温度上昇により小さく成る、それを除去するには、Ｌ−アスコルビン酸の還元力とイオン、空気の移動力により、ほこりも呼び寄せフイルタ−に付着させる、また、時々細かい霧状水分を与えるとほこりの吸着力を増すことを特徴とする、残留塩素除染剤。【００２８】  Ｌ−アスコルビン酸、還元力の素晴らしさが部屋の空気除染に大きく現れる、更にほこりに混じり込む臭気に悩まされる実態に混迷する、清潔な部屋にするには各自環境を改善する必要がある、Ｌ−アスコルビン酸の物品構造により其の還元力で部屋内の澄み切った空気、更に微弱な栄養素の補給をするフイルタ−生地とすることを特徴の、残留塩素除染剤。【００２９】  請求項７記載に示す通り、Ｌ−アスコルビン酸を弱アルカリ系とアルカリの固形化剤にカルシウムの含有を糊状とし、環境保全用敷きパットの生地に塗布したことを特徴とする考案である、この敷きパット生地は中心に入れて三枚重ねに仕立て環境保全用敷きパットとしたことを特徴とする、残留塩素除染剤。【００３０】  Ｌ−アスコルビン酸の組み合わせた構造の還元力と栄養成分放出により敷きパット使用中にカルシウムの保全、ビタミンの保全など多くの成分が補給される、更に使用中及び乾燥する時点で環境をよくする、また、Ｌ−アスコルビン酸の組み合わせの時点でアルカリ系の固形化剤にカルシウムを補給して塗布することも出来る特徴を有する、残留塩素除染剤。
【図面の簡単な説明】
【００３１】
【図１】は請求項１記載のＬ−アスコルビン酸の残留塩素除染剤の構造の全体図
【図２】は請求項１記載のＬ−アスコルビン酸の残留塩素除染剤の球状の図
【図３】は請求項１記載のＬ−アスコルビン酸の残留塩素除染剤の立体の図
【図４】は請求項２記載の微細断銅繊維をＬ−アスコルビン酸に含まれた全体図
【図５】は請求項３記載の銀入りセラミックスペレットを銅繊維と包んだ、図
【図６】は請求項３記載の銀入りセラミックスペレットの単体の図
【図７】は図１、図２、図３、図４、図５、図を一つの容器に収めた最終仕上げの図
【手続補正３】
【補正対象書類名】図面
【補正対象項目名】全図
【補正方法】変更
【補正の内容】
【図１】
0003189914.tif 000009
【図２】
0003189914.tif 000010
【図３】
0003189914.tif 000011
【図４】
0003189914.tif 000012
【図５】
0003189914.tif 000013
【図６】
0003189914.tif 000014
【図７】
0003189914.tif 000015